【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
抽出操作中、複数個の重合生体医用器具を保持する生体医用器具キャリヤ組立体であって、前記キャリヤ組立体は、
第１のキャリヤ及び第２のキャリヤを有し、前記第１のキャリヤは、第１の担体表面及び前記第１の担体表面と反対側の第２の担体表面を備えた実質的に平板状の担体を有し、前記第１の担体表面と前記反対側の第２の担体表面との間の距離は、担体厚さを定め、
前記第１の担体表面から前記第２の担体表面を越えて延びる複数個の凹部を有し、各前記凹部は、前記担体厚さよりも大きな深さを有し、各前記凹部は、前記重合生体医用器具の抽出操作中、前記重合生体医用器具のサイズが膨張すると前記重合生体医用器具を受け入れるよう構成されており、
少なくとも１つのキャリヤ間隔保持部材を有し、前記少なくとも１つのキャリヤ間隔保持部材は、第１のキャリヤ間隔保持部材が前記第２のキャリヤと接触状態にあるとき、前記第１のキャリヤの凸面が前記第２のキャリヤの凹部の凹面に対向し、そして前記重合生体医用器具を受け入れるキャビティを形成するよう前記第２のキャリヤの前記凹部内に入り込むようにするために約０．１２インチ（３．０４８ｍｍ）〜約０．５０インチ（１２．７０ｍｍ）のキャリヤ間距離をもたらすよう構成され、前記キャリヤ間距離は、前記第１のキャリヤの凹部の底面と前記第１のキャリヤの下に位置する前記第２のキャリヤの凹部の頂面との間で測定され又は前記第１のキャリヤの前記第２の担体表面と前記第１のキャリヤの下に位置する前記第２のキャリヤの前記第１の担体表面との間で測定される、生体医用器具キャリヤ組立体。
【請求項２】
前記担体厚さは、約０．００７インチ（０．１７７８ｍｍ）〜約０．１００インチ（２．５４００ｍｍ）である、請求項１記載の生体医用器具キャリヤ組立体。
【請求項３】
各前記凹部は、凹面を有し、前記凹面を貫通して反対側の凸面まで延びる複数個の開口部が設けられている、請求項１記載の生体医用器具キャリヤ組立体。
【請求項４】
担体が、前記第２の担体表面から延びる複数の凸面を有し、各前記凸面は、単一の凹部の凹面に対向し、前記少なくとも１つのキャリヤ間隔保持部材は、前記凸面から延びている、請求項１記載の生体医用器具キャリヤ組立体。
【請求項５】
前記少なくとも１つのキャリヤ間隔保持部材は、前記第１の担体表面から延びるポストである、請求項１記載の生体医用器具キャリヤ組立体。
【請求項６】
各前記凹部は、重合シリコーンヒドロゲルコンタクトレンズを収容するよう寸法決めされている、請求項１記載の生体医用器具キャリヤ組立体。
【請求項７】
前記第１のキャリヤは、前記実質的に平板状の担体に一体形成されている前記複数個の凹部を備えた単一のコンポーネントである、請求項１記載の生体医用器具キャリヤ組立体。
【請求項８】
前記第１のキャリヤ及び前記第２のキャリヤは、複数個の生体医用器具を単一量の抽出用液体中で同時に抽出できるよう構成されている、請求項１記載の生体医用器具キャリヤ組立体。
【請求項９】
複数個の重合生体医用器具に対して抽出操作を行う生体医用器具用抽出組立体であって、前記組立体は、
凹面を有する複数個の凹部を備えた第１の生体医用器具キャリヤを有し、前記第１の生体医用器具キャリヤは、少なくとも１つのキャリヤ間隔保持部材を有し、前記少なくとも１つのキャリヤ間隔保持部材は、前記キャリヤ間隔保持部材が第２の生体医用器具キャリヤと接触状態にあるときにキャリヤ間距離をもたらすよう構成され、各前記凹部は、抽出可能な成分を前記重合生体医用器具から取り出すための抽出操作中、単一の重合生体医用器具のサイズが膨張すると前記単一の重合生体医用器具を受け入れるよう構成されており、前記キャリヤ間距離は、前記第１のキャリヤの凹部の底面と前記第１の生体医用器具キャリヤの下に位置する第２の生体医用器具キャリヤの凹部の頂面との間で測定され又は前記第１の生体医用器具キャリヤの第２の担体表面と前記第１の生体医用器具キャリヤの下に位置する前記第２の生体医用器具キャリヤの第１の担体表面との間で測定され、
前記第２の生体医用器具キャリヤは、前記第１の生体医用器具キャリヤと実質的に同一であり、前記第２の生体医用器具キャリヤは、前記第１の生体医用器具キャリヤの凸面が前記第２の生体医用器具キャリヤの凹部の凹面に対向し、そして前記重合生体医用器具を受け入れるキャビティを形成するよう前記第２の生体医用器具キャリヤの前記凹部内に入り込むよう前記第１の生体医用器具キャリヤの前記キャリヤ間隔保持部材と接触状態にあると共に前記第１の生体医用器具キャリヤに対して配置され或いは積み重ねられており、
前記第１の生体医用器具キャリヤと実質的に同一の第３の生体医用器具キャリヤを有し、前記第３の生体医用器具キャリヤは、前記第２の生体医用器具キャリヤの凸面が前記第３の生体医用器具キャリヤの凹部の凹面に対向し、そして前記重合生体医用器具を受け入れるキャビティを形成するよう前記第３の生体医用器具キャリヤの前記凹部内に入り込むよう前記第２の生体医用器具キャリヤの前記キャリヤ間隔保持部材と接触状態にある、
生体医用器具用抽出組立体。
【請求項１０】
前記第１の生体医用器具キャリヤか前記第３の生体医用器具キャリヤかのいずれかと接触状態にある少なくとも１つの追加の実質的に同一の生体医用器具キャリヤを更に有する、請求項９記載の生体医用器具用抽出組立体。
【請求項１１】
各前記凹部内に１つの重合生体医用器具を更に有する、請求項９記載の生体医用器具用抽出組立体。
【請求項１２】
フレームを更に有し、前記キャリヤは全て、前記フレーム内に配置されている、請求項９記載の生体医用器具用抽出組立体。
【請求項１３】
貯蔵タンクを更に備え、前記キャリヤは全て、前記貯蔵タンク内に配置されている、請求項９記載の生体医用器具用抽出組立体。
【請求項１４】
前記第１のキャリヤ、前記第２のキャリヤ、及び前記第３のキャリヤは、複数個の生体医用器具を単一量の抽出用液体中で同時に抽出できるよう構成されている、請求項９記載の生体医用器具用抽出組立体。
【請求項１５】
重合生体医用器具から抽出可能な成分を抽出する方法であって、
前記方法は、複数個の重合生体医用器具に対して抽出操作を行う生体医用器具用抽出組立体の少なくとも１つのキャリヤの複数個の凹部内に入れた状態で複数個の重合生体医用器具を用意するステップを有し、前記組立体は、
凹面を有する複数個の凹部を備えた第１の生体医用器具キャリヤを有し、前記第１の生体医用器具キャリヤは、少なくとも１つのキャリヤ間隔保持部材を有し、前記少なくとも１つのキャリヤ間隔保持部材は、前記キャリヤ間隔保持部材が第２の生体医用器具キャリヤと接触状態にあるときにキャリヤ間距離をもたらすよう構成され、各前記凹部は、抽出可能な成分を前記重合生体医用器具から取り出す抽出操作中、単一の重合生体医用器具のサイズが膨張すると前記単一の重合生体医用器具を受け入れるよう構成されており、前記キャリヤ間距離は、前記第１のキャリヤの凹部の底面と前記第１の生体医用器具キャリヤの下に位置する第２の生体医用器具キャリヤの凹部の頂面との間で測定され又は前記第１の生体医用器具キャリヤの第２の担体表面と前記第１の生体医用器具キャリヤの下に位置する前記第２の生体医用器具キャリヤの第１の担体表面との間で測定され、
前記第２の生体医用器具キャリヤは、前記第１の生体医用器具キャリヤと実質的に同一であり、前記第２の生体医用器具キャリヤは、前記第１の生体医用器具キャリヤの凸面が前記第２の生体医用器具キャリヤの凹部の凹面に対向し、そして前記重合生体医用器具を受け入れるキャビティを形成するよう前記第２の生体医用器具キャリヤの前記凹部内に入り込むよう前記第１の生体医用器具キャリヤの前記キャリヤ間隔保持部材と接触状態にあると共に前記第１の生体医用器具キャリヤに対して配置され或いは積み重ねられており、
前記第１の生体医用器具キャリヤと実質的に同一の第３の生体医用器具キャリヤを有し、前記第３の生体医用器具キャリヤは、前記第２の生体医用器具キャリヤの凸面が前記第３の生体医用器具キャリヤの凹部の凹面に対向し、そして前記重合生体医用器具を受け入れるキャビティを形成するよう前記第３の生体医用器具キャリヤの前記凹部内に入り込むよう前記第２の生体医用器具キャリヤの前記キャリヤ間隔保持部材と接触状態にあり、
前記方法は、前記複数個の重合生体医用器具を液体抽出用配合物に接触させて前記重合生体医用器具から抽出可能な成分を取り出して複数個の抽出済み重合生体医用器具を得るステップを更に有する、方法。
【請求項１６】
前記接触ステップは、前記液体抽出用配合物を前記重合生体医用器具を横切って側方に差し向けるステップを含む、請求項１５記載の方法。
【請求項１７】
前記接触ステップは、前記抽出組立体を収容した貯蔵タンクの単一の入口ポート及び単一の出口ポートを通って前記液体抽出用配合物を差し向けるステップを含む、請求項１５記載の方法。
【請求項１８】
前記重合生体医用器具は、重合オフサルミックレンズである、請求項１５記載の方法。
【請求項１９】
前記複数個の抽出済み重合生体医用器具を水性配合物に接触させて前記抽出済み重合生体医用器具を水和させるステップを更に有する、請求項１５記載の方法。
【請求項２０】
前記第１のキャリヤ、前記第２のキャリヤ、及び前記第３のキャリヤは、複数個の生体医用器具を単一量の抽出用液体中で同時に抽出できるよう構成されている、請求項１５記載の方法。